(57)【特許請求の範囲】
【請求項１】
画像を現実の物体に重ねることによってＡＲ（Augmented Reality）を実現するＡＲ装置であって、
表示手段と、
当該ＡＲ装置のユーザが書き加えた第一の追記画像を取得する追記画像取得手段と、
前記第一の追記画像をサーバへ送信する追記画像送信手段と、
当該ＡＲ装置および他のＡＲ装置が特定の場所にある場合に、当該他のＡＲ装置のユーザが書き加えた第二の追記画像を前記サーバから受信する追記画像受信手段と、
前記第二の追記画像を、所定の位置から前記物体を見た際に前記物体と重なって見えるように、または、前記物体を撮影して得た物体画像と重なるように、前記表示手段に表示させる、表示制御手段と、
を有することを特徴とするＡＲ装置。
【請求項２】
画像を現実の物体に重ねることによってＡＲ（Augmented Reality）を実現するＡＲ装置であって、
表示手段と、
当該ＡＲ装置のユーザが書き加えた第一の追記画像を取得する追記画像取得手段と、
当該ＡＲ装置および他のＡＲ装置が特定の場所にある場合に、前記第一の追記画像を当該他のＡＲ装置へ送信する追記画像送信手段と、
他のＡＲ装置から、当該他のＡＲ装置のユーザが書き加えた第二の追記画像を受信する追記画像受信手段と、
前記第二の追記画像を、所定の位置から前記物体を見た際に前記物体と重なって見えるように、または、前記物体を撮影して得た物体画像と重なるように、前記表示手段に表示させる、表示制御手段と、
を有することを特徴とするＡＲ装置。
【請求項３】
前記追記画像送信手段は、前記他のＡＲ装置のうちの前記物体を現在撮影しているＡＲ装置へ前記第一の追記画像を送信する、
請求項２に記載のＡＲ装置。
【請求項４】
前記物体には、特定のマークが付されており、
前記追記画像取得手段は、前記第一の追記画像を、前記マークが含まれるように前記物体の全部または一部を撮影することによって取得し、
前記追記画像送信手段は、前記第一の追記画像とともに、前記マークを基準とする、当該第一の追記画像が書き加えられた際の第一の書込位置を送信し、
前記追記画像受信手段は、前記第二の追記画像とともに、前記マークを基準とする、当該第二の追記画像が書き加えられた際の第二の書込位置を受信し、
前記表示制御手段は、前記第二の追記画像を、前記マークを基準とする、前記第二の書込位置に表示させる、
請求項１ないし請求項３のいずれかに記載のＡＲ装置。
【請求項５】
画像を現実の物体に重ねることによってＡＲ（Augmented Reality）を実現する第一のＡＲ装置および第二のＡＲ装置と、サーバと、を有する画像共有システムであって、
前記第一のＡＲ装置には、
当該第一のＡＲ装置のユーザが書き加えた追記画像を取得する追記画像取得手段と、
前記追記画像を前記サーバへ送信する追記画像送信手段と、
が設けられ、
前記サーバには、
前記第一のＡＲ装置および前記第二のＡＲ装置が特定の場所にある場合に、当該第一のＡＲ装置から送信された前記追記画像を当該第二のＡＲ装置へ送信する追記画像中継手段、
が設けられ、
前記第二のＡＲ装置には、
前記サーバから送信された前記追記画像を、所定の位置から前記物体を見た際に前記物体と重なって見えるように、または、前記物体を撮影して得た物体画像と重なるように表示する表示手段、
が設けられる、
ことを特徴とする画像共有システム。
【請求項６】
前記物体には、特定のマークが付されており、
前記追記画像取得手段は、前記追記画像を、前記マークが含まれるように前記物体の全部または一部を撮影することによって取得し、
前記追記画像送信手段は、前記追記画像を、撮影された前記マークとともに前記サーバへ送信し、
前記追記画像中継手段は、前記第二のＡＲ装置が前記マークに対応付けられている場合に、前記第二のＡＲ装置へ前記追記画像を送信する、
請求項５に記載の画像共有システム。
【請求項７】
画像を現実の物体に重ねることによってＡＲ（Augmented Reality）を実現する第一のＡＲ装置および第二のＡＲ装置とサーバとを用いた画像共有方法であって、
前記第一のＡＲ装置に、
当該第一のＡＲ装置のユーザが書き加えた追記画像を取得する処理と、
前記追記画像を前記サーバへ送信する処理と、を実行させ、
前記サーバに、
前記第一のＡＲ装置および前記第二のＡＲ装置が特定の場所にある場合に、当該第一のＡＲ装置から送信された前記追記画像を当該第二のＡＲ装置へ送信する処理を実行させ、
前記第二のＡＲ装置に、
前記サーバから送信された前記追記画像を、所定の位置から前記物体を見た際に前記物体と重なって見えるように、または、前記物体を撮影して得た物体画像と重なるように表示する処理を実行させる、
ことを特徴とする画像共有方法。
【請求項８】
画像を現実の物体に重ねることによってＡＲ（Augmented Reality）を実現する第一のＡＲ装置および第二のＡＲ装置用いた画像共有方法であって、
前記第一のＡＲ装置に、
当該第一のＡＲ装置のユーザが書き加えた追記画像を取得する処理と、
前記第一のＡＲ装置および前記第二のＡＲ装置が特定の場所にある場合に、前記追記画像を当該第二のＡＲ装置へ送信する処理と、を実行させ、
前記第二のＡＲ装置に、
前記追記画像を受信する処理と、
所定の位置から前記物体を見た際に前記物体と重なって見えるように、または、前記物体を撮影して得た物体画像と重なるように、前記追記画像を表示する処理を実行させる、
ことを特徴とする画像共有方法。
【請求項９】
画像を現実の物体に重ねることによってＡＲ（Augmented Reality）を実現するコンピュータに用いられるコンピュータプログラムであって、
当該コンピュータに、
当該コンピュータのユーザが書き加えた第一の追記画像を取得する処理を実行させ、
前記第一の追記画像をサーバへ送信する処理を実行させ、
当該コンピュータおよび他のコンピュータが特定の場所にある場合に、当該他のコンピュータのユーザが書き加えた第二の追記画像を前記サーバから受信する処理を実行させ、
前記第二の追記画像を、所定の位置から前記物体を見た際に前記物体と重なって見えるように、または、前記物体を撮影して得た物体画像と重なるように表示する処理を実行させる、
ことを特徴とするコンピュータプログラム。
【請求項１０】
画像を現実の物体に重ねることによってＡＲ（Augmented Reality）を実現するコンピュータに用いられるコンピュータプログラムであって、
当該コンピュータに、
当該コンピュータのユーザが書き加えた第一の追記画像を取得する処理を実行させ、
当該コンピュータおよび他のコンピュータが特定の場所にある場合に、前記第一の追記画像を当該他のコンピュータへ送信する処理を実行させ、
他のコンピュータから、当該他のコンピュータのユーザが書き加えた第二の追記画像を受信する処理を実行させ、
前記第二の追記画像を、所定の位置から前記物体を見た際に前記物体と重なって見えるように、または、前記物体を撮影して得た物体画像と重なるように表示する処理を実行させる、
ことを特徴とするコンピュータプログラム。
【請求項１１】
画像を現実の物体に重ねることによってＡＲ（Augmented Reality）を実現する第一のＡＲ装置および第二のＡＲ装置と通信できるサーバであって、
前記第一のＡＲ装置のユーザが書き加えた追記画像を当該第一のＡＲ装置から受信する追記画像受信手段と、
前記第一のＡＲ装置および前記第二のＡＲ装置が特定の場所にある場合に、前記追記画像を当該第二のＡＲ装置へ送信する追記画像送信手段と、
を有することを特徴とするサーバ。
【請求項１２】
画像を現実の物体に重ねることによってＡＲ（Augmented Reality）を実現する第一のＡＲ装置および第二のＡＲ装置と通信できるコンピュータに用いられるコンピュータプログラムであって、
前記コンピュータに、
前記第一のＡＲ装置のユーザが書き加えた追記画像を当該第一のＡＲ装置から受信する処理を実行させ、
前記第一のＡＲ装置および前記第二のＡＲ装置が特定の場所にある場合に、前記追記画像を当該第二のＡＲ装置へ送信する処理を実行させる、
ことを特徴とするコンピュータプログラム。
【発明の詳細な説明】
【技術分野】
【０００１】
本発明は、ＡＲ（Augmented Reality）の技術に関する。
【背景技術】
【０００２】
近年、ＡＲ（Augmented Reality）の技術が普及し始めている。ＡＲは、一般に「拡張現実」と翻訳される。
【０００３】
ＡＲの技術によると、ＡＲマーカーが付されている印刷物を、ユーザがスマートフォンまたはヘッドマウントディスプレイなどを介して見ると、ＡＲマーカーに対応するコンテンツ（オブジェクト）が、撮影した印刷物の画像の上に表示される。これにより、現実の空間が拡張したかのようにユーザに感じさせることができる。
【０００４】
また、近年、異なる場所にいるユーザ同士が会議を円滑に進めるための技術が提案されている。
【０００５】
特許文献１に記載される技術によると、各ＨＭＤ及び各小型カメラは、ユーザの表示媒体の画像データを生成し、会議管理サーバに対して送信する。また、各ＨＭＤ及び各小型カメラは、ユーザの会議に対する提示情報を生成し、会議管理サーバに対して送信する。会議管理サーバは、各ユーザと各ユーザが使用する表示媒体の画像データとの対応付けと、受信したユーザの表示媒体の画像データ及びユーザの対応付けとを比較することにより表示媒体の照合を行い、表示媒体の照合が成功した場合、各ＨＭＤ及び各小型カメラから受信したユーザの会議に対する提示情報を各ＨＭＤに対して送信する。
【先行技術文献】
【特許文献】
【０００６】
【特許文献１】特開２０１１−２１７０９８号公報
【発明の概要】
【発明が解決しようとする課題】
【０００７】
しかし、従来のＡＲの技術では、あるユーザが資料に書き込んだ情報を他のユーザと共有することができない。
【０００８】
本発明は、このような問題点に鑑み、ＡＲの技術を用いて複数のユーザで打合せなどを行う場合において、新たな情報を従来よりも簡単に共有できるようにすることを、目的とする。
【課題を解決するための手段】
【０００９】
本発明の一形態に係るＡＲ装置は、画像を現実の物体に重ねることによってＡＲ（Augmented Reality）を実現するＡＲ装置であって、表示手段と、当該ＡＲ装置のユーザが書き加えた第一の追記画像を取得する追記画像取得手段と、前記第一の追記画像をサーバへ送信する追記画像送信手段と、当該ＡＲ装置および他のＡＲ装置が特定の場所にある場合に、当該他のＡＲ装置のユーザが書き加えた第二の追記画像を前記サーバから受信する追記画像受信手段と、前記第二の追記画像を、所定の位置から前記物体を見た際に前記物体と重なって見えるように、または、前記物体を撮影して得た物体画像と重なるように、前記表示手段に表示させる、表示制御手段と、を有する。
【００１０】
本発明の他の一形態に係るＡＲ装置は、画像を現実の物体に重ねることによってＡＲを実現するＡＲ装置であって、表示手段と、当該ＡＲ装置のユーザが書き加えた第一の追記画像を取得する追記画像取得手段と、当該ＡＲ装置および他のＡＲ装置が特定の場所にある場合に、前記第一の追記画像を当該他のＡＲ装置へ送信する追記画像送信手段と、他のＡＲ装置から、当該他のＡＲ装置のユーザが書き加えた第二の追記画像を受信する追記画像受信手段と、前記第二の追記画像を、所定の位置から前記物体を見た際に前記物体と重なって見えるように、または、前記物体を撮影して得た物体画像と重なるように、前記表示手段に表示させる、表示制御手段と、を有する。
【００１１】
本発明の一形態に係る画像共有システムは、画像を現実の物体に重ねることによってＡＲ（Augmented Reality）を実現する第一のＡＲ装置および第二のＡＲ装置と、サーバと、を有する画像共有システムであって、前記第一のＡＲ装置には、当該第一のＡＲ装置のユーザが書き加えた追記画像を取得する追記画像取得手段と、前記追記画像を前記サーバへ送信する追記画像送信手段と、が設けられ、前記サーバには、前記第一のＡＲ装置および前記第二のＡＲ装置が特定の場所にある場合に、当該第一のＡＲ装置から送信された前記追記画像を当該第二のＡＲ装置へ送信する追記画像中継手段、が設けられ、前記第二のＡＲ装置には、前記サーバから送信された前記追記画像を、所定の位置から前記物体を見た際に前記物体と重なって見えるように、または、前記物体を撮影して得た物体画像と重なるように表示する表示手段、が設けられる。
本発明の一形態に係るサーバは、画像を現実の物体に重ねることによってＡＲ（Augmented Reality）を実現する第一のＡＲ装置および第二のＡＲ装置と通信できるサーバであって、前記第一のＡＲ装置のユーザが書き加えた追記画像を当該第一のＡＲ装置から受信する追記画像受信手段と、前記第一のＡＲ装置および前記第二のＡＲ装置が特定の場所にある場合に、前記追記画像を当該第二のＡＲ装置へ送信する追記画像送信手段と、を有する。
【発明の効果】
【００１２】
本発明によると、ＡＲの技術を用いて複数のユーザで打合せなどを行う場合において、新たな情報を従来よりも簡単に共有することができる。
【図面の簡単な説明】
【００１３】
【図１】ドキュメント閲覧システムの全体的な構成の例を示す図である。
【図２】ドキュメントサーバのハードウェア構成の例を示す図である。
【図３】タブレット型端末装置のハードウェア構成の例を示す図である。
【図４】眼鏡型端末装置のハードウェア構成の例を示す図である。
【図５】印刷物の例を示す図である。
【図６】ドキュメント閲覧システムの機能的構成の例を示す図である。
【図７】ドキュメント情報記憶部の例を示す図である。
【図８】ログインユーザ情報記憶部の例を示す図である。
【図９】書込みがなされた印刷物の状態の例を示す図である。
【図１０】端末装置の全体的な処理の流れの例を説明するフローチャートである。
【図１１】ドキュメントサーバの全体的な処理の流れの例を説明するフローチャートである。
【図１２】ドキュメント閲覧システムの機能的構成の例を示す図である。
【図１３】共有ユーザ情報記憶部の例を示す図である。
【図１４】端末装置の全体的な処理の流れの例を説明するフローチャートである。
【図１５】端末装置の全体的な処理の流れの例を説明するフローチャートである。
【発明を実施するための形態】
【００１４】
〔第一の実施形態〕
図１は、ドキュメント閲覧システム１の全体的な構成の例を示す図である。図２は、ドキュメントサーバ２のハードウェア構成の例を示す図である。図３は、タブレット型端末装置３Ｔのハードウェア構成の例を示す図である。図４は、眼鏡型端末装置３Ｍのハードウェア構成の例を示す図である。図５は、印刷物５の例を示す図である。図６は、ドキュメント閲覧システム１の機能的構成の例を示す図である。
【００１５】
ドキュメント閲覧システム１は、図１に示すように、ドキュメントサーバ２、端末装置３、および通信回線４などによって構成される。ドキュメント閲覧システム１は、ドキュメント（文書）に関するデータを管理し、ドキュメントの閲覧のサービスをユーザに提供する。
【００１６】
ドキュメントサーバ２と端末装置３とは、通信回線４を介して通信を行うことができる。通信回線４として、インターネット、Ｗｉ−Ｆｉ、Ｂｌｕｅｔｏｏｔｈ（登録商標）、携帯電話回線、またはＰＨＳ（Personal Handy-phone System）回線などが用いられる。
【００１７】
ドキュメントサーバ２は、ドキュメントを表示するためのデータを記憶し、適宜、端末装置３へ提供する。さらに、ユーザが書き加えたコンテンツのデータを記憶し、適宜、端末装置３へ提供する。ドキュメントサーバ２として、いわゆるサーバ機が用いられる。または、コピー、スキャン、ファックスなどの機能を備えた複合機を用いてもよいし、いわゆるクラウドサーバを用いてもよい。
【００１８】
ドキュメントサーバ２は、図２に示すように、ＣＰＵ（Central Processing Unit）２０ａ、ＲＡＭ（Random Access Memory）２０ｂ、ＲＯＭ（Read Only Memory）２０ｃ、大容量記憶装置２０ｄ、およびＮＩＣ（Network Interface Card）２０ｅなどによって構成される。
【００１９】
ＮＩＣ２０ｅは、ＴＣＰ／ＩＰ（Transmission Control Protocol/Internet Protocol）などのプロトコルによって端末装置３などの装置と通信を行う。
【００２０】
ＲＯＭ２０ｃまたは大容量記憶装置２０ｄには、管理プログラム２Ｐが記憶されている。管理プログラム２Ｐは、ＲＡＭ２０ｂにロードされ、ＣＰＵ２０ａによって実行される。大容量記憶装置２０ｄとして、ハードディスクまたはＳＳＤ（Solid State Drive）などが用いられる。
【００２１】
端末装置３は、ドキュメントサーバ２から提供されるデータに基づいてドキュメントを表示する。また、ユーザが書き加えた画像のデータをドキュメントサーバ２へ送信しドキュメントサーバ２に記憶させる。端末装置３として、パーソナルコンピュータ、タブレットコンピュータ、スマートフォン、または眼鏡型コンピュータなどが用いられる。
【００２２】
「眼鏡型コンピュータ」は、ウェアラブルコンピュータの一種であり、グーグル社のグーグルグラスのような、眼鏡のように顔に装着するタイプのコンピュータである。
【００２３】
以下、端末装置３として、タブレットコンピュータまたは眼鏡型コンピュータが用いられる場合を例に説明する。前者および後者をそれぞれ「タブレット型端末装置３Ｔ」および「眼鏡型端末装置３Ｍ」と区別して記載することがある。
【００２４】
タブレット型端末装置３Ｔは、図３に示すように、ＣＰＵ３０ａ、ＲＡＭ３０ｂ、ＲＯＭ３０ｃ、フラッシュメモリ３０ｄ、タッチパネルディスプレイ３０ｅ、操作ボタン群３０ｆ、デジタルカメラ３０ｇ、および無線通信装置３０ｈなどが用いられる。
【００２５】
タッチパネルディスプレイ３０ｅは、フラット型ディスプレイ（例えば、液晶ディスプレイ）およびタッチパネルによって構成される。フラット型ディスプレイは、種々の画像を表示する。特にドキュメントを表示するために用いられる。タッチパネルは、ユーザがタッチした位置を検知し、その位置をＣＰＵ３０ａへ通知する。
【００２６】
操作ボタン群３０ｆは、ホーム画面に戻るためのボタン、種々の事項を確定するためのボタン、音量を調整するためのボタン、および電源のオン／オフを切り換えるためのボタンなどによって構成される。
【００２７】
デジタルカメラ３０ｇは、種々の画像を撮影する。特にドキュメントが印刷された用紙を撮影するために用いられる。
【００２８】
無線通信装置３０ｈは、基地局を介してＴＣＰ／ＩＰなどのプロトコルによってドキュメントサーバ２などの装置と通信を行う。無線通信装置３０ｈの通信方式として、例えば、Ｗｉ−Ｆｉ、Ｂｌｕｅｔｏｏｔｈ（登録商標）、ＬＴＥ（Long Term Evolution）、Ｗ−ＣＤＭＡ（Wideband-Code Division Multiple Access）、またはＰＨＳなどが用いられる。
【００２９】
ＲＯＭ３０ｃまたはフラッシュメモリ３０ｄには、クライアントプログラム３Ｐが記憶されている。クライアントプログラム３Ｐは、ＲＡＭ３０ｂにロードされ、ＣＰＵ３０ａによって実行される。
【００３０】
眼鏡型端末装置３Ｍは、図４に示すように、ＣＰＵ３１ａ、ＲＡＭ３１ｂ、ＲＯＭ３１ｃ、フラッシュメモリ３１ｄ、ディスプレイ３１ｅ、操作ボタン群３１ｆ、デジタルカメラ３１ｇ、および無線通信装置３１ｈなどが用いられる。
【００３１】
ＣＰＵ３１ａ、ＲＡＭ３１ｂ、ＲＯＭ３１ｃ、フラッシュメモリ３１ｄ、ディスプレイ３１ｅ、操作ボタン群３１ｆ、デジタルカメラ３１ｇ、および無線通信装置３１ｈの役割は、それぞれ、タブレット型端末装置３ＴのＣＰＵ３０ａ、ＲＡＭ３０ｂ、ＲＯＭ３０ｃ、フラッシュメモリ３０ｄ、タッチパネルディスプレイ３０ｅ、操作ボタン群３０ｆ、デジタルカメラ３０ｇ、および無線通信装置３０ｈと基本的に同様である。
【００３２】
ただし、画像を再現する方式が、タッチパネルディスプレイ３０ｅとディスプレイ３１ｅとでは、相違する。タッチパネルディスプレイ３０ｅは、上述の通り、液晶ディスプレイのような平面型のディスプレイが用いられる。一方、ディスプレイ３１ｅは、柄の根元に設けられたプロジェクタからレンズの端部付近に設けられたプリズムへ光を発することによって、画像を再現する。
【００３３】
クライアントプログラム３Ｐが、ＲＯＭ３１ｃまたはフラッシュメモリ３１ｄに記憶されており、ＲＡＭ３１ｂにロードされ、ＣＰＵ３１ａによって実行される。
【００３４】
ところで、ドキュメント閲覧システム１は、ＰＤＦ（Portable Document Format）などのファイルを単に提供するだけでなく、ＡＲ（Augmented Reality）の技術によってドキュメントを再現することができる。この際に、印刷物５が用いられる。印刷物５は、複数のユーザ（例えば、会社の従業員）に１枚ずつ予め配付される。なお、各ユーザには、それぞれを識別するためのユーザコードおよび認証用のパスワードが与えられている。
【００３５】
印刷物５は、図５（Ａ）のように、２種類のオブジェクト（画像）が予め印刷されている。１つ目は、呼出用マーカー５１Ｙである。呼出用マーカー５１Ｙは、ドキュメントサーバ２にデータが記憶されている画像を呼び出すためのものである。２つ目は、固定画像５１Ｋである。固定画像５１Ｋは、呼出用マーカー５１Ｙ以外のオブジェクトである。
【００３６】
ユーザが眼鏡型端末装置３Ｍを掛けて印刷物５を見ると、呼出用マーカー５１Ｙに基づいて画像のデータがドキュメントサーバ２からダウンロードされ、図５（Ｂ）のように、固定画像５１Ｋ以外の画像がまるで印刷物５に印刷されているかのように見える。タブレット型端末装置３Ｔで印刷物５を撮影しながら見た場合も、同様に見える。
【００３７】
このように、ドキュメント閲覧システム１によると、ＡＲが実現される。呼出用マーカー５１Ｙとして、ＡＲマーカーが用いられる。なお、呼出用マーカー５１Ｙは、後述する機密画像コードを示すものである。
【００３８】
特に、機密にしておくべき画像の代わりに呼出用マーカー５１Ｙを印刷物５に印刷しておき、この呼出用マーカー５１Ｙが撮影された際にこの画像を端末装置３に表示させることによって、情報の秘匿化を図ることができる。
【００３９】
また、ドキュメント閲覧システム１によると、あるユーザが端末装置３を介して印刷物５を見ながら印刷物５に書き込んだ画像を記録することができる。さらに、このユーザと同じ時期に同じようにこの印刷物５を見ている他のユーザへ、書き込まれた画像を見せることができる。
【００４０】
これらの仕組みは、管理プログラム２Ｐおよびクライアントプログラム３Ｐによって実現される。以下、これらの仕組みについて、説明する。
【００４１】
管理プログラム２Ｐによると、図６に示すユーザ認証部２０１、既存画像送信部２０２、追記画像登録部２０３、追記画像送信部２０４、機密画像記憶部２１１、ドキュメント情報記憶部２１２、追記画像記憶部２１３、ログインユーザ情報記憶部２１４などの機能が実現される。
【００４２】
クライアントプログラム３Ｐによると、ログイン処理部３０１、既存画像ダウンロード部３０２、既存画像表示処理部３０３、追記画像抽出部３０４、追記画像登録要求部３０５、および追記画像表示処理部３０６などの機能が実現される。
【００４３】
〔準備〕
図７は、ドキュメント情報記憶部２１２の例を示す図である。
【００４４】
呼出用マーカー５１Ｙに基づいて端末装置３によって呼び出される画像は、２種類ある。１つ目は、印刷物５の作成者などが予め用意した画像である。第一の実施形態では、印刷物５に印刷せずに機密にしておく画像が予め用意される。以下、この画像を「機密画像５１Ｓ」と記載する。２つ目は、ユーザが後から書き加えた画像である。以下、この画像を「追記画像５１Ｗ」と記載する。
【００４５】
ドキュメントサーバ２の機密画像記憶部２１１には、機密画像５１Ｓごとの画像データ６１Ｓが、各々を識別するための機密画像コードと対応付けられて記憶されている。
【００４６】
ドキュメント情報記憶部２１２には、図７に示すように、呼出用マーカー５１Ｙごとに機密画像５１Ｓおよび追記画像５１Ｗに関する情報が記憶されている。
【００４７】
なお、追記画像５１Ｗの画像データ６１Ｗは、後述する通り、追記画像記憶部２１３に記憶される。
【００４８】
印刷物５を作成した当初は、ドキュメント情報記憶部２１２には、図７（Ａ）に示すように、呼出用マーカー５１Ｙごとに、それ自身の画像データ（本例では、ＡＲマーカー）、それ自身が表わす機密画像コード、および機密画像位置が記憶されている。「機密画像位置」は、その呼出用マーカー５１Ｙを基準の位置とした場合の、機密画像５１Ｓを配置すべき位置である。
【００４９】
さらに、「追記画像コード」、「追記画像位置」、および「共有者／デバイス」が記憶されるが、印刷物５を作成した当初は空である。これらの情報は、後述するように、この呼出用マーカー５１Ｙに対応付けて追記画像５１Ｗを登録した場合に追加される。
【００５０】
〔追記前における閲覧のための処理〕
図８は、ログインユーザ情報記憶部２１４の例を示す図である。
【００５１】
ユーザは、機密画像５１Ｓを見るために、ドキュメントサーバ２にログインしなければならない。
【００５２】
端末装置３のログイン処理部３０１は、ドキュメントサーバ２へのユーザのログインのための処理を次のように実行する。
【００５３】
ログイン処理部３０１は、ユーザコードおよびパスワードを入力するための画面をタッチパネルディスプレイ３０ｅまたはディスプレイ３１ｅに表示させる。ユーザは、自分のユーザコードおよびパスワードを入力する。
【００５４】
すると、ログイン処理部３０１は、ユーザをログインさせるようにドキュメントサーバ２に対して要求する。この際に、入力されたユーザコードおよびパスワードをドキュメントサーバ２へ送信する。
【００５５】
ドキュメントサーバ２のユーザ認証部２０１は、送信されてきたユーザコードおよびパスワードに基づいて、端末装置３のユーザが正当であるか否かを判別する。つまり、ユーザ認証を行う。そして、正当であると判別したら、このユーザをドキュメントサーバ２にログインさせる。
【００５６】
ログイン後、ログイン処理部３０１は、端末装置３自身の現在地をドキュメントサーバ２へ通知する。現在地は、端末装置３が現在接続されている基地局の場所を検出することによって、知ることができる。または、ＧＰＳ（Global Positioning System）によって知ることができる。
【００５７】
以下、「ＵＳＲ＿Ａ」、「ＵＳＲ＿Ｂ」、および「ＵＳＲ＿Ａ」というユーザコードをそれぞれ有する３人のユーザ８ａ、８ｂ、および８ｃが自分の端末装置３を使用してドキュメントサーバ２へログインし、図５（Ａ）の印刷物５を見る場合を例に、説明する。
【００５８】
ログインユーザ情報記憶部２１４には、図８に示すように、ドキュメントサーバ２へログインしたユーザごとに、そのユーザのユーザコード、使用する端末装置３の識別子（デバイス識別子）、そのユーザが閲覧している機密画像５１Ｓの機密画像コード、およびその端末装置３の現在地が示される。端末装置３の識別子として、ホスト名、ＩＰ（Internet Protocol）アドレス、またはＭＡＣ（Media Access Control）アドレスなどが用いられる。
【００５９】
ユーザ８ａ〜８ｃがログインした時点では、ログインユーザ情報記憶部２１４には、図８（Ａ）のように、ユーザ８ａ〜８ｃについて機密画像コードが記憶されていない。機密画像コードは、後述するように、機密画像５１Ｓが閲覧された際に記憶される。
【００６０】
ユーザ８ａは、ドキュメントサーバ２へのログイン後、自分の端末装置３のデジタルカメラ３０ｇまたは３１ｇを印刷物５の印刷面の方へ向ける。すると、デジタルカメラ３０ｇまたは３１ｇによって印刷面の画像が撮影される。なお、端末装置３がタブレット型端末装置３Ｔである場合は、撮影された画像がタッチパネルディスプレイ３０ｅに表示される。
【００６１】
既存画像ダウンロード部３０２は、撮影された画像に呼出用マーカー５１Ｙが含まれていると、印刷物５に重ねて表示する画像の画像データをドキュメントサーバ２から次のようにダウンロードする。
【００６２】
既存画像ダウンロード部３０２は、撮影された画像の中から呼出用マーカー５１Ｙを検知する。そして、この呼出用マーカー５１Ｙに対応する画像の画像データをドキュメントサーバ２に対して要求する。この際に、この呼出用マーカー５１Ｙをドキュメントサーバ２へ送信する。
【００６３】
すると、ドキュメントサーバ２において、既存画像送信部２０２は、端末装置３から送信されてきた呼出用マーカー５１Ｙ（ＡＲマーカー）に対応する機密画像コード（図７参照）の機密画像５１Ｓの画像データ６１Ｓを機密画像記憶部２１１から読み出し、この端末装置３へ送信する。さらに、この機密画像５１Ｓの機密画像位置をこの端末装置３へ通知する。
【００６４】
その呼出用マーカー５１Ｙに対応する追記画像コードがドキュメント情報記憶部２１２に記憶されている場合は、さらに、この追記画像コードの追記画像５１Ｗの画像データ６１Ｗを追記画像記憶部２１３から読み出し、この端末装置３へ送信する。また、この追記画像５１Ｗの追記画像位置（後述する）をこの端末装置３へ通知する。
【００６５】
そして、既存画像ダウンロード部３０２は、画像データ６１Ｓまたは画像データ６１Ｗを受信する。
【００６６】
既存画像表示処理部３０３は、既存画像ダウンロード部３０２によって画像データ６１Ｓおよび機密画像位置が得られると、これらに基づいて機密画像５１Ｓをタッチパネルディスプレイ３０ｅまたはディスプレイ３１ｅに次のように表示させる。
【００６７】
タブレット型端末装置３Ｔの場合は、既存画像表示処理部３０３は、デジタルカメラ３０ｇによって撮影されタッチパネルディスプレイ３０ｅによって表示された画像の中の呼出用マーカー５１Ｙの位置を検知する。そして、この位置を基準として、ドキュメントサーバ２から通知された機密画像位置に、ドキュメントサーバ２から受信した画像データ６１Ｓに基づいてタッチパネルディスプレイ３０ｅに機密画像５１Ｓを重ねて表示させる。
【００６８】
眼鏡型端末装置３Ｍの場合は、既存画像表示処理部３０３は、デジタルカメラ３１ｇによって撮影された画像の中の呼出用マーカー５１Ｙの位置を検知する。そして、この位置を基準として、ドキュメントサーバ２から通知された機密画像位置に重なって見えるように、ドキュメントサーバ２から受信した画像データ６１Ｓに基づいて機密画像５１Ｓをディスプレイ３１ｅに表示させる。
【００６９】
このように、機密画像５１Ｓはデジタルカメラ３０ｇまたは３１ｇを介して実物に対して仮想的に添付される情報であると、言える。このような情報は、一般に「エアタグ」と呼ばれることもある。後述する追記画像５１Ｗについても、同様である。
【００７０】
画像データ６１Ｗおよび追記画像位置が得られた場合は、既存画像表示処理部３０３は、追記画像５１Ｗを表示させる。これについては、後述する。
【００７１】
ユーザ８ｂ、８Ｃも、ドキュメントサーバ２へのログイン後、ユーザ８ａと同様の操作を行う。すると、ユーザ８ｂ、８Ｃそれぞれの端末装置３は、機密画像５１Ｓなどを表示する。
【００７２】
機密画像５１Ｓの画像データ６１Ｓがユーザの端末装置３へ送信されると、ログインユーザ情報記憶部２１４において、このユーザおよびこの端末装置３のレコードに、この機密画像５１Ｓの機密画像コードが記憶される。例えば、ユーザ８ａ〜８ｃそれぞれの端末装置３へ「Ｇ００１」という機密画像コードの機密画像５１Ｓの画像データ６１Ｓが送信された場合は、図８（Ｂ）のように、この機密画像コードが記憶される。
【００７３】
〔追記時の処理〕
図９は、書込みがなされた印刷物５の状態の例を示す図である。
【００７４】
ユーザ８ａ〜８ｃは、各々、自分の端末装置３を介して機密画像５１Ｓを見ながら、印刷物５に書込みを行うことができる。書き込まれた画像は、追記画像５１Ｗとしてドキュメントサーバ２に登録される。さらに、ログインしている他のユーザの端末装置３によって追記画像５１Ｗが表示される。つまり、１人のユーザが追記画像５１Ｗを書き込むと、他のユーザに追記画像５１Ｗを見せることができる。以下、この仕組みを、ユーザ８ａが追記画像５１Ｗを書き込み、これをユーザ８ｂ、８ｃに見せる場合を例に説明する。
【００７５】
ユーザ８ａは、自分の端末装置３によって印刷物５の印刷面の画像を撮影しながら、図９のように印刷物５に書込みを行う。この際に、呼出用マーカー５１Ｙが含まれるように撮影する。そして、書込みが終わったら、所定の操作を端末装置３に対して行う。例えば、操作ボタン群３０ｆまたは３１ｆの中の所定のボタンを押す。
【００７６】
すると、追記画像抽出部３０４は、この画像から、ユーザ８ａによって書き込まれた画像を追記画像５１Ｗとして抽出する。抽出は、公知の方法で行えばよい。例えば、書込みの前後の画像を比較することによって抽出すればよい。または、所定の色のペンでユーザ８ａに書込みを行わせ、この色の画像を抽出してもよい。または、ペンの先の動きを追跡することによって画像を抽出してもよい。
【００７７】
さらに、追記画像抽出部３０４は、呼出用マーカー５１Ｙの位置を基準とする、追記画像５１Ｗの位置を検知する。この位置が、追記画像位置である。
【００７８】
追記画像登録要求部３０５は、追記画像抽出部３０４によって追記画像５１Ｗが抽出されると、追記画像５１Ｗを登録するようにドキュメントサーバ２へ要求する。この際に、ドキュメントサーバ２へ、追記画像５１Ｗの画像データ６１Ｗを送信するとともに、印刷物５に示される呼出用マーカー５１Ｙおよび追記画像５１Ｗの追記画像位置を通知する。
【００７９】
ドキュメントサーバ２において、追記画像登録部２０３は、端末装置３からの要求に基づいて、追記画像５１Ｗを登録する処理を次のように実行する。
【００８０】
追記画像登録部２０３は、この追記画像５１Ｗに対してユニークな追記画像コードを発行する。端末装置３から送信されてきた画像データ６１Ｗを、この追記画像コードに対応付けて追記画像記憶部２１３に記憶させる。
【００８１】
さらに、追記画像登録部２０３は、ドキュメント情報記憶部２１２の、通知された呼出用マーカー５１Ｙ（ＡＲコード）のレコードに、この追記画像コード、通知された追記画像位置、およびこの機密画像５１Ｓを見ているユーザおよび各人の端末装置３の情報（共有者／デバイス）を格納する。「共有者／デバイス」は、ログインユーザ情報記憶部２１４に記憶されている情報を参照すればよい。具体的には、この呼出用マーカー５１Ｙが表わす機密画像コードを示すレコードのユーザコードおよびデバイス識別子が、共有者／デバイスとして格納される。
【００８２】
例えば、ログインユーザ情報記憶部２１４に図８（Ｂ）の通りの情報が記憶されており、「Ｔ００１」という追記画像コードが発行され、通知された呼出用マーカー５１Ｙが表わす機密画像コードが「Ｇ００１」であり、かつ通知された追記画像位置が「（ａ１ｘ，ａ１ｙ）」である場合は、ドキュメント情報記憶部２１２において、図７（Ｂ）に示すように「Ｇ００１」のレコードが更新される。
【００８３】
その後、さらに他の追記画像５１Ｗが印刷物５に書き込まれると、図８（Ｃ）のようにレコードが更新される。
【００８４】
追記画像送信部２０４は、追記画像登録部２０３による登録の処理と前後してまたは並行して、ユーザ８ａ以外のユーザつまりユーザ８ｂおよびユーザ８ｃ各々の端末装置３へ、ユーザ８ａが追加した追記画像５１Ｗの画像データ６１Ｗを送信する。さらに、ユーザ８ａの端末装置３から通知された、この追記画像５１Ｗの追記画像位置をユーザ８ｂおよびユーザ８ｃ各々の端末装置３へ通知する。
【００８５】
すると、ユーザ８ｂおよびユーザ８ｃ各々の端末装置３において、追記画像表示処理部３０６は、ドキュメントサーバ２から送信されてきた画像データ６１Ｗに基づいて、ドキュメントサーバ２から通知された追記画像位置に画像データ６１Ｓを表示させる。これにより、ユーザ８ｂおよびユーザ８ｃにとって、ユーザ８ａがユーザ８ａの印刷物５に書き込んだ追記画像５１Ｗがユーザ８ｂおよびユーザ８ｃ各々の印刷物５に書き込まれたかのように見える。
【００８６】
〔追記後に他のユーザが印刷物５を閲覧する場合の処理〕
ユーザ８ａが追記画像５１Ｗを印刷物５に書き込み、追記画像５１Ｗがドキュメントサーバ２に登録された後、例えばユーザ８ｄが自分の端末装置３を介して印刷物５を閲覧する場合がある。この場合は、ドキュメントサーバ２および端末装置３の各部は、次のように処理を行う。
【００８７】
ユーザ８ｄは、未だドキュメントサーバ２にログインしていない場合は、ログインのための操作を行う。すると、ドキュメントサーバ２のユーザ認証部２０１およびユーザ８ｄの端末装置３のログイン処理部３０１によって、上述の通り、ユーザ８ｄをログインさせる処理およびログインユーザ情報記憶部２１４へのユーザ８ｄを登録する処理などが行われる。
【００８８】
ユーザ８ｄは、自分の端末装置３によって印刷物５の印刷面の画像を、呼出用マーカー５１Ｙが含まれるように撮影する。
【００８９】
すると、端末装置３において、既存画像ダウンロード部３０２は、上述の通り、呼出用マーカー５１Ｙに対応する画像のデータをドキュメントサーバ２へ要求する。
【００９０】
ドキュメントサーバ２において、既存画像送信部２０２は、上述の通り、要求元の端末装置３へ、この呼出用マーカー５１Ｙに対応する機密画像コードの機密画像５１Ｓの画像データ６１Ｓを送信し、この機密画像５１Ｓの機密画像位置を通知する。さらに、この呼出用マーカー５１Ｙに対応する追記画像コードがドキュメント情報記憶部２１２に記憶されているので、この端末装置３へこの追記画像コードの追記画像５１Ｗの画像データ６１Ｗを送信、この追記画像５１Ｗの追記画像位置を通知する。
【００９１】
そして、端末装置３において、既存画像ダウンロード部３０２がこれらを受信すると、既存画像表示処理部３０３は、機密画像５１Ｓを上述の通り機密画像位置に表示させる。さらに、追記画像５１Ｗを追記画像位置に表示させる。
【００９２】
このように、ユーザ８ａが印刷物５に追記画像５１Ｗを書き込んだ後にユーザ８ｄが印刷物５を閲覧する場合であっても、機密画像５１Ｓだけでなく追記画像５１Ｗをユーザ８ｄに見せることができる。
【００９３】
〔ログアウトの際の処理〕
ユーザがログアウトのコマンドを端末装置３に入力すると、ログイン処理部３０１は、ドキュメントサーバ２へログアウトを要求する。この際に、ドキュメントサーバ２へこのユーザのユーザコードを通知する。
【００９４】
すると、ドキュメントサーバ２において、ユーザ認証部２０１は、通知されたユーザコードに係るレコードをログインユーザ情報記憶部２１４（図８参照）から削除する。
【００９５】
また、ログアウトの際に、デジタルカメラ３０ｇまたは３１ｇによる印刷物５の撮影を終了する。
【００９６】
図１０は、端末装置３の全体的な処理の流れの例を説明するフローチャートである。図１１は、ドキュメントサーバ２の全体的な処理の流れの例を説明するフローチャートである。
【００９７】
次に、ドキュメントサーバ２および端末装置３の全体的な処理の流れを、フローチャートを参照しながら説明する。
【００９８】
図１０において、端末装置３は、ユーザコードおよびパスワードが入力されると、ドキュメントサーバ２へのユーザのログインをドキュメントサーバ２に対して要求する（＃７３１）。
【００９９】
ログインに成功したら（＃７３２でＹｅｓ）、端末装置３は、印刷物５の撮影を開始するとともに（＃７３３）、呼出用マーカー５１Ｙの検出を開始する（＃７３４）。
【０１００】
呼出用マーカー５１Ｙを検出することができたら（＃７３５でＹｅｓ）、端末装置３は、この呼出用マーカー５１Ｙに対応する既存の画像（機密画像５１Ｓまたは追記画像５１Ｗ）の画像データ（画像データ６１Ｓまたは画像データ６１Ｗ）をドキュメントサーバ２からダウンロードし（＃７３６）、表示する（＃７３７）。タブレット型端末装置３Ｔの場合は、印刷物５の画像に重ねて表示する。眼鏡型端末装置３Ｍの場合は、印刷物５に重なって見えるように表示する。表示する位置は、機密画像５１Ｓの場合は、呼出用マーカー５１Ｙの位置を基準とした機密画像位置であり、追記画像５１Ｗの場合は、呼出用マーカー５１Ｙの位置を基準とした追記画像位置である。画像データ６１Ｗは、ダウンロードされない場合がある。
【０１０１】
ユーザが画像を印刷物５に書き込んだ場合は（＃７３８でＹｅｓ）、端末装置３は、この画像を追記画像５１Ｗとして抽出し（＃７３９）、追記画像５１Ｗの画像データを画像データ６１Ｗとして登録するためにドキュメントサーバ２へアップロードする（＃７４０）。この際に、追記画像位置などをドキュメントサーバ２へ通知する。
【０１０２】
他の端末装置３のユーザが印刷物５へ書込みを行った場合は、ドキュメントサーバ２から画像データ６１Ｗおよび追記画像位置が送信されてくる。端末装置３は、これらを受信すると（＃７４１でＹｅｓ）、追記画像５１Ｗを、呼出用マーカー５１Ｙの位置を基準とするこの追記画像位置に表示する（＃７４２）。
【０１０３】
ユーザがログアウトの操作を行うと（＃７４３でＹｅｓ）、端末装置３は、ログアウトをドキュメントサーバ２に対して要求する（＃７４４）。
【０１０４】
ユーザがログアウトの操作を行うまでの間（＃７４３でＮｏ）、端末装置３は、適宜、ステップ＃７３８〜＃７４２の処理を実行する。
【０１０５】
図１１において、ドキュメントサーバ２は、端末装置３からログインの要求とともにユーザコードおよびパスワードを受信すると（＃７０１でＹｅｓ）、ユーザ認証を行い、端末装置３のユーザが正当であると判別できたらドキュメントサーバ２にログインさせる（＃７０２）。
【０１０６】
ログインに成功したら（＃７０３でＹｅｓ）、このユーザおよび端末装置３をログインユーザ情報記憶部２１４（図８参照）に登録する（＃７０４）。
【０１０７】
または、端末装置３から画像データの要求とともに呼出用マーカー５１Ｙを受信すると（＃７０５でＹｅｓ）、ドキュメントサーバ２は、この呼出用マーカー５１Ｙに対応する機密画像５１Ｓの画像データ６１Ｓおよび機密画像位置を端末装置３へ送信する（＃７０６）。この呼出用マーカー５１Ｙに対応する追記画像５１Ｗが登録されていれば、この追記画像５１Ｗの画像データ６１Ｓおよび追記画像位置をも送信する。
【０１０８】
または、端末装置３から追記画像５１Ｗの画像データ６１Ｗおよび追記画像位置などを受信した場合は（＃７０７でＹｅｓ）、ドキュメントサーバ２は、画像データ６１Ｗを追記画像記憶部２１３に記憶させ、追記画像位置などをログインユーザ情報記憶部２１４に記憶させることによって、追記画像５１Ｗの登録の処理を行う（＃７０８）。さらに、送信元の端末装置３以外の、印刷物５を閲覧している端末装置３へ、画像データ６１Ｗを配信する（＃７０９）。
【０１０９】
または、端末装置３からユーザのログアウトの要求を受信した場合は（＃７１０でＹｅｓ）、ドキュメントサーバ２は、ログインユーザ情報記憶部２１４から、このユーザおよびこの端末装置３のレコードを削除する（＃７１１）。
【０１１０】
ドキュメントサーバ２は、サービスを提供している間（＃７１２でＮｏ）、適宜、ステップ＃７０１〜＃７１１の処理を実行する。
【０１１１】
第一の実施形態によると、ユーザ８ａ〜８ｃ同士で新たな情報を従来よりも簡単に、かつ、リアルタイムに共有することが、できる。
【０１１２】
〔第二の実施形態〕
図１２は、ドキュメント閲覧システム１の機能的構成の例を示す図である。図１３は、共有ユーザ情報記憶部３６５の例を示す図である。
【０１１３】
第一の実施形態では、同じ印刷物５を閲覧している複数のユーザのうちの１人が書き込んだ追記画像５１Ｗを、そのユーザの端末装置３からドキュメントサーバ２を介して他のユーザの端末装置３へ提供した。第二の実施形態では、ドキュメントサーバ２を介さず、追記画像５１Ｗを一方の端末装置３から他方の端末装置３へ提供する。
【０１１４】
第二の実施形態におけるドキュメント閲覧システム１の全体的な構成は、第一の実施形態と同様であり、図１に示した通りである。
【０１１５】
ドキュメントサーバ２および端末装置３のハードウェアの構成も、第一の実施形態と同様であり、図２〜図４に示した通りである。
【０１１６】
ただし、ドキュメントサーバ２のＲＯＭ２０ｃまたは大容量記憶装置２０ｄには、管理プログラム２Ｐの代わりに管理プログラム２Ｐ２が記憶されている。
【０１１７】
管理プログラム２Ｐ２によると、図１２に示すユーザ認証部２６１、既存画像送信部２６２、追記画像登録部２６３、機密画像記憶部２７１、ドキュメント情報記憶部２７２、追記画像記憶部２７３、およびログインユーザ情報記憶部２７４などの機能が実現される。
【０１１８】
また、各端末装置３のＲＯＭ３０ｃまたはフラッシュメモリ３０ｄには、クライアントプログラム３Ｐの代わりにクライアントプログラム３Ｐ２が記憶されている。
【０１１９】
クライアントプログラム３Ｐ２によると、図１２に示すログイン処理部３６１、既存画像ダウンロード部３６２、既存画像表示処理部３６３、閲覧通知部３６４、共有ユーザ情報記憶部３６５、追記画像抽出部３６６、追記画像配信部３６７、追記画像登録要求部３６８、追記画像表示処理部３６９などの機能が実現される。
【０１２０】
以下、図１２に示す各部の処理について説明する。第一の実施形態と重複する点については、説明を省略する。
【０１２１】
第一の実施形態と同様に、印刷物５には、図７に示したように固定画像５１Ｋおよび呼出用マーカー５１Ｙが印刷されている。そして、印刷物５は、各ユーザに１枚ずつ予め配付される。
【０１２２】
ドキュメントサーバ２の機密画像記憶部２７１には、第一の実施形態の機密画像記憶部２１１（図６参照）と同様に、機密画像５１Ｓごとの画像データ６１Ｓが予め記憶されている。
【０１２３】
ドキュメント情報記憶部２７２には、第一の実施形態のドキュメント情報記憶部２１２と同様に、図７に示したように、呼出用マーカー５１Ｙごとに機密画像５１Ｓおよび追記画像５１Ｗに関する情報が記憶されている。
【０１２４】
追記画像記憶部２７３には、第一の実施形態の追記画像記憶部２１３と同様に、画像データ６１Ｗが次々に記憶される。
【０１２５】
端末装置３のログイン処理部３６１は、第一の実施形態のログイン処理部３０１と同様に、ドキュメントサーバ２へのユーザのログインのための処理およびログアウトのための処理を行う。
【０１２６】
ドキュメントサーバ２のユーザ認証部２６１は、第一の実施形態のユーザ認証部２０１と同様に、ユーザ認証およびログインの処理を行ったり、ログアウトの処理を行ったりする。
【０１２７】
ログインユーザ情報記憶部２７４には、第一の実施形態のログインユーザ情報記憶部２１４と同様に、つまり、図８に示したように、ドキュメントサーバ２に現在ログインしているユーザに関する情報が記憶される。
【０１２８】
端末装置３の既存画像ダウンロード部３６２は、第一の実施形態の既存画像ダウンロード部３０２と同様に、撮影された画像に含まれる呼出用マーカー５１Ｙに対応する既存の画像（機密画像５１Ｓまたは追記画像５１Ｗ）の画像データ（画像データ６１Ｓまたは画像データ６１Ｗ）をドキュメントサーバ２からダウンロードする。
【０１２９】
ドキュメントサーバ２の既存画像送信部２６２は、第一の実施形態の既存画像送信部２０２と同様に、端末装置３から通知（送信）された呼出用マーカー５１Ｙに対応する既存の画像の画像データを、この端末装置３へ送信する。そのほか、各画像の位置（機密画像位置または追記画像位置）を通知する。
【０１３０】
第二の実施形態において、既存画像送信部２６２は、さらに、ログインユーザ情報記憶部２７４に記憶されているレコードの中から、この呼出用マーカー５１Ｙが表わす機密画像コードを示すレコードを検索し、検索したレコードに示されるデバイス識別子および現在地を、この端末装置３へ通知する。
【０１３１】
共有ユーザ情報記憶部３６５には、図１３に示すように、通知されたデバイス識別子および現在地がこの呼出用マーカー５１Ｙと対応付けられて１つのレコードとして記憶される。なお、端末装置３自身のデバイス識別子および現在地は、記憶させない。このように、共有ユーザ情報記憶部３６５には、同じ機密画像５１Ｓを既に閲覧している他のユーザ、つまり、同じ情報を共有している他のユーザの端末装置３のデバイス識別子が記憶される。また、後述するように、同じ機密画像５１Ｓを後に閲覧し始めた他のユーザの情報が、追加される。
【０１３２】
端末装置３の既存画像表示処理部３６３は、第一の実施形態の既存画像表示処理部３０３と同様に、端末装置３から受信した画像データに基づいて機密画像５１Ｓまたは追記画像５１Ｗを機密画像位置または追記画像位置に表示させる。
【０１３３】
閲覧通知部３６４は、ユーザがドキュメントサーバ２へログインし、かつ、撮影された画像に呼出用マーカー５１Ｙが含まれている場合に、ユーザがログインした旨とともに、端末装置３自身のデバイス識別子および現在地と、この呼出用マーカー５１Ｙとを特定の端末装置３へ通知する。特定の端末装置３は、共有ユーザ情報記憶部３６５にこの呼出用マーカー５１Ｙと対応付けられて記憶されているデバイス識別子を有する端末装置３である。つまり、同じ機密画像５１Ｓを既に閲覧している他のユーザの端末装置３である。
【０１３４】
さらに、閲覧通知部３６４は、ユーザがドキュメントサーバ２からログアウトした場合に、ユーザがログアウトした旨とともに、端末装置３自身のデバイス識別子を他の端末装置３へ通知する。
【０１３５】
これらの通知は、ブロードキャストによって行ってもよいし、共有ユーザ情報記憶部３６５に基づいて行ってもよい。
【０１３６】
図１３の共有ユーザ情報記憶部３６５には、ユーザがログインした旨が他の端末装置３から通知された場合に、これとともに通知された呼出用マーカー５１Ｙ、デバイス識別子、および現在地が１つのレコードとして新たに記憶される。
【０１３７】
そして、ユーザがログアウトした旨が他の端末装置３から通知された場合に、これとともに通知されたデバイス識別子を示すレコードが共有ユーザ情報記憶部３６５から削除される。
【０１３８】
追記画像抽出部３６６は、第一の実施形態の追記画像抽出部３０４と同様に、ユーザが書き込んだ画像を追記画像５１Ｗとして抽出する。
【０１３９】
追記画像配信部３６７は、追記画像抽出部３６６によって追記画像５１Ｗが抽出されると、この追記画像５１Ｗの画像データ６１Ｗを他の端末装置３へ次のように配信する。
【０１４０】
追記画像配信部３６７は、印刷物５の画像から抽出された呼出用マーカー５１Ｙと同じ呼出用マーカー５１Ｙを示すレコードを共有ユーザ情報記憶部３６５から検索する。そして、検索されたレコードに示されるデバイス識別子を有する端末装置３へ画像データ６１Ｗを送信する。
【０１４１】
なお、画像データ６１Ｗは、その後に新たにログインしたユーザの端末装置３へ提供するために、ドキュメントサーバ２に登録される。登録の処理は、端末装置３の追記画像登録要求部３６８およびドキュメントサーバ２の追記画像登録部２６３によって、第一の実施形態の追記画像登録要求部３０５および追記画像登録部２０３と同様に行われる。
【０１４２】
追記画像表示処理部３６９は、他の端末装置３から画像データ６１Ｗおよび追記画像位置を受信すると、追記画像５１Ｗをこの画像データ６１Ｗに基づいてこの追記画像位置に表示させる。
【０１４３】
図１４および図１５は、端末装置３の全体的な処理の流れの例を説明するフローチャートである。
【０１４４】
次に、第二の実施形態におけるドキュメントサーバ２および端末装置３の全体的な処理の流れを、フローチャートを参照しながら説明する。
【０１４５】
図１４および図１５において、端末装置３は、ドキュメントサーバ２へのログインの処理を行い、撮影した呼出用マーカー５１Ｙに対応する画像の画像データをダウンロードして画像を表示する処理を行う（＃７５１〜＃７５７）。これらの処理は、基本的に第一の実施形態と同様である。ただし、ダウンロードの際に（＃７５６）、ドキュメントサーバ２から、既にこの画像を閲覧している他のユーザの端末装置３に関する情報を受信する。そして、これを共有ユーザ情報記憶部３６５（図１３参照）に記憶させる（＃７５８）。さらに、この端末装置３のユーザがログインした旨などを、他のユーザの端末装置３へ通知する（＃７５９）。これにより、他のユーザの端末装置３の共有ユーザ情報記憶部３６５に、この端末装置３の情報が追加される。
【０１４６】
他の端末装置３から、当該他の端末装置３のユーザがドキュメントサーバ２へログインした旨を通知された場合は（＃７６０でＹｅｓ）、当該他の端末装置３の情報を共有ユーザ情報記憶部３６５に追加する（＃７６１）。
【０１４７】
または、ユーザが印刷物５に追記画像５１Ｗを書き込んだ場合は（＃７６２でＹｅｓ）、端末装置３は、第一の実施形態と同様に、この追記画像５１Ｗを抽出し（＃７６３）、ドキュメントサーバ２へ登録する処理を行う（＃７６４）。さらに、第二の実施形態では、共有ユーザ情報記憶部３６５に示される、同じ機密画像５１Ｓを閲覧している他のユーザの端末装置３へ、追記画像５１Ｗの画像データ６１Ｓおよび追記画像位置を送信（通知）する（＃７６５）。
【０１４８】
または、端末装置３は、他の端末装置３から画像データ６１Ｗおよび追記画像位置を受信した場合は（＃７６８でＹｅｓ）、これらに基づいて追記画像５１Ｗを追加的に表示する（＃７６７）。
【０１４９】
または、端末装置３は、他の端末装置３からログアウトする旨の通知を受信した場合は（＃７６８でＹｅｓ）、当該他の端末装置３の情報を共有ユーザ情報記憶部３６５から削除する（＃７６９）。
【０１５０】
または、端末装置３は、ユーザがログアウトの操作を行った場合は（＃７７０）、ドキュメントサーバ２からログアウトするための処理を行うとともに（＃７７１）、他のユーザの端末装置３へその旨を通知する（＃７７２）。
【０１５１】
ドキュメントサーバ２の第二の実施形態における全体的な処理の流れは、次の点で、第一の実施形態の場合と異なる。
【０１５２】
第二の実施形態では、端末装置３から機密画像５１Ｓなどを要求された場合に、ドキュメントサーバ２は、図１１のステップ＃７０６において、この機密画像５１Ｓの画像データ６１Ｓおよび機密画像位置などだけでなく、この機密画像５１Ｓを既に閲覧しているユーザに関する情報を送信する。
【０１５３】
また、第二の実施形態では、ドキュメントサーバ２は、あるユーザが書き込んだ追記画像５１Ｗを登録しても（＃７０８）、追記画像５１Ｗの画像データ６１Ｗなどを他のユーザの端末装置３へは配信しない。つまり、ステップ＃７０９の処理を行わない。
【０１５４】
ドキュメントサーバ２におけるそれ以外の処理は、基本的に第一の実施形態と同様であり、図１１に示した通りである。
【０１５５】
第二の実施形態によると、ドキュメントサーバ２を介することなく、ユーザ８ａ〜８ｃ同士で新たな情報を共有することができる。
【０１５６】
第一の実施形態および第二の実施形態では、同じ時間帯に同じ機密画像５１Ｓを閲覧しているユーザ全員で追記画像５１Ｗを共有したが、端末装置３の現在地に応じてさらに共有者を限定してもよい。すなわち、現在地が特定の場所である端末装置３にのみ、追記画像５１Ｗを配信するようにしてもよい。特定の場所は、いずれかのユーザが予めドキュメントサーバ２および端末装置３に設定しておけばよい。
【０１５７】
例えば、「本社１２３会議室」および「福岡支店ＴＶ会議室」が特定の場所として設定されており、かつ、各ユーザの端末装置３の現在地が図８（Ｂ）に示す通りである場合は、ユーザ８ａの端末装置３およびユーザ８ｂの端末装置３の間で、追記画像５１Ｗの画像データ６１Ｗをやり取りする。
【０１５８】
第一の実施形態および第二の実施形態では、機密画像５１Ｓを対応付ける画像として呼出用マーカー５１Ｙを用いたが、他の画像を用いてもよい。例えば、固定画像５１Ｋの全部分または一部分を用いてもよい。
【０１５９】
第一の実施形態および第二の実施形態では、ユーザは、印刷物５の実物に書込みを行ったが、タブレット型端末装置３Ｔを使用するときは、タッチパネルディスプレイ３０ｅに書込みを行ってもよい。この場合は、タブレット型端末装置３Ｔは、タッチされた位置を検知することによって追記画像５１Ｗを検出すればよい。
【０１６０】
ドキュメントサーバ２または端末装置３は、呼出用マーカー５１Ｙを通知する代わりに、呼出用マーカー５１Ｙを解析し、呼出用マーカー５１Ｙが表わす機密画像コードを通知してもよい。
【０１６１】
第一の実施形態および第二の実施形態では、眼鏡型端末装置３Ｍとして、プリズムによって画像を表示するタイプのウェアラブルコンピュータを用いたが、他のタイプのものを用いてもよい。例えば、ゴーグル型のウェアラブルコンピュータを用いてもよい。
【０１６２】
第二の実施形態では、追記画像５１Ｗの画像データ６１Ｗなどをドキュメントサーバ２に保存したが、ドキュメントサーバ２に保存することなく、端末装置３同士でＰ２Ｐ（Peer To Peer）でやり取りし、会議または打合せなどが終了した後、削除してもよい。または、会議または打合せなどが終了した後で、一括してドキュメントサーバ２へ保存してもよい。
【０１６３】
その他、ドキュメント閲覧システム１、ドキュメントサーバ２、端末装置３の全体または各部の構成、処理内容、処理順序、データの構成などは、本発明の趣旨に沿って適宜変更することができる。
【符号の説明】
【０１６４】
１  ドキュメント閲覧システム（画像共有システム）
２  ドキュメントサーバ（サーバ）
３  端末装置（ＡＲ装置）
３Ｍ  眼鏡型端末装置（ＡＲ装置）
３Ｔ  タブレット型端末装置（ＡＲ装置）
３０ｅ  タッチパネルディスプレイ（表示手段）
３０４、３６６  追記画像抽出部（追記画像取得手段）
３０６、３６９  追記画像表示処理部（追記画像受信手段、表示制御手段）
３１ｅ  ディスプレイ（表示手段）
５  印刷物（物体）
５１Ｗ  追記画像（第一の画像、第二の画像）
【図１】
0006455038.tif 000002
【図２】
0006455038.tif 000003
【図３】
0006455038.tif 000004
【図４】
0006455038.tif 000005
【図５】
0006455038.tif 000006
【図６】
0006455038.tif 000007
【図７】
0006455038.tif 000008
【図８】
0006455038.tif 000009
【図９】
0006455038.tif 000010
【図１０】
0006455038.tif 000011
【図１１】
0006455038.tif 000012
【図１２】
0006455038.tif 000013
【図１３】
0006455038.tif 000014
【図１４】
0006455038.tif 000015
【図１５】
0006455038.tif 000016